(57)【要約】【課題】基板ケースの封止とその基板ケースの基板ケース取付台に対する封止とを一の封止部材により行うことができると共に、その封止部材により基板ケースのみの封止も行うことが可能な遊技機を提供する。【解決手段】内部に基板１３を格納可能な基板ケース４３と、遊技機筐体に設けられ且つ基板ケース４３を装着可能な基板ケース取付台４５と、基板ケース４３を閉鎖状態で封止する閉鎖封止手段４８と、基板ケース４３と基板ケース取付台４５とを装着状態で封止する装着封止手段４９とを備えた遊技機で、閉鎖封止手段４８と装着封止手段４９とを一の封止部材５６上に設け、この封止部材５６は、装着封止手段４９による封止を行うことなく閉鎖封止手段４８による封止を行うことができ、その状態から更に装着封止手段４９による封止を行うことが可能に構成されているものである。【選択図】図９
2010068934.tif 000002
【特許請求の範囲】
【請求項１】
開閉自在に構成され且つ内部に基板（１３）を格納可能な基板ケース（４３）と、遊技機筐体（１）に設けられ且つ前記基板ケース（４３）を装着可能な基板ケース取付台（４５）と、前記基板ケース（４３）を閉鎖状態で封止する閉鎖封止手段（４８）と、前記基板ケース（４３）と前記基板ケース取付台（４５）とを装着状態で封止する装着封止手段（４９）とを備えた遊技機において、前記閉鎖封止手段（４８）と前記装着封止手段（４９）とを一の封止部材（５６）上に設け、該封止部材（５６）は、前記装着封止手段（４９）による封止を行うことなく前記閉鎖封止手段（４８）による封止を行うことができ、その状態から更に前記装着封止手段（４９）による封止を行うことが可能に構成されていることを特徴とする遊技機。
【請求項２】
前記基板ケース（４３）は互いに嵌め合わせ可能な第１ケース体（４１）と第２ケース体（４２）とを備え、それら第１ケース体（４１）と第２ケース体（４２）とは、互いに嵌め合わせた状態が保持される閉鎖ロック状態と保持されない閉鎖アンロック状態との間で相対的にスライド可能に構成されており、前記閉鎖ロック状態にある前記基板ケース（４３）の封止装着部（５５）に前記封止部材（５６）が装着されたとき、前記閉鎖封止手段（４８）が前記閉鎖アンロック状態側へのスライドを解除不能に阻止する閉鎖封止状態となるように構成されていることを特徴とする請求項１に記載の遊技機。
【請求項３】
前記基板ケース（４３）は前記基板ケース取付台（４５）に対して装着状態が保持される装着ロック状態と保持されない装着アンロック状態との間でスライド可能に構成されており、前記閉鎖封止手段（４８）により前記閉鎖封止状態となっている前記基板ケース（４３）が前記基板ケース取付台（４５）に対して前記装着アンロック状態から前記装着ロック状態までスライドしたとき、前記装着封止手段（４９）が前記装着アンロック状態側へのスライドを解除不能に阻止する装着封止状態となるように構成されていることを特徴とする請求項２に記載の遊技機。
【請求項４】
前記封止装着部（５５）は、前記第１ケース体（４１）側の第１封止装着部（７２）と前記第２ケース体（４２）側の第２封止装着部（１１３）とを備え、前記第１ケース体（４１）と前記第２ケース体（４２）とが前記閉鎖ロック状態となったとき、前記第１封止装着部（７２）と前記第２封止装着部（１１３）とがスライド方向に略直交する方向に互いに合致するように構成されており、前記閉鎖封止手段（４８）は、前記第１封止装着部（７２）と前記第２封止装着部（１１３）とに跨るように挿通されて前記閉鎖アンロック状態側へのスライドを阻止する挿通部（１３１）と、該挿通部（１３１）の抜けを阻止する抜け止め部（１３４）とを備えたことを特徴とする請求項２又は３に記載の遊技機。
【請求項５】
前記第２封止装着部（１１３）は損壊容易な損壊部（１１９ａ〜１１９ｃ）を介して前記第２ケース体（４２）に一体に設けられ、前記抜け止め部（１３４）は前記第２封止装着部（１１３）側に係脱自在に係合するように構成され、前記第１封止装着部（７２）には前記第２封止装着部（１１３）側に係合した前記抜け止め部（１３４）を係合解除不能に覆う抜け止めカバー部（１５１）が設けられ、前記損壊部（１１９ａ〜１１９ｃ）が損壊されて前記第２封止装着部（１１３）が前記封止部材（５６）と共に前記第２ケース体（４２）から除去されることにより、前記挿通部（１３１）が前記第１封止装着部（７２）から抜けて前記閉鎖封止状態が解除されると共に、前記抜け止め部（１３４）が前記抜け止めカバー部（１５１）から離れて前記第２封止装着部（１１３）への係合を容易に解除可能となるように構成されていることを特徴とする請求項４に記載の遊技機。
【請求項６】
前記損壊部（１１９ａ〜１１９ｃ）が損壊されて前記閉鎖封止手段（４８）による前記閉鎖封止状態が解除されることにより、前記装着封止手段（４９）による前記装着封止状態も解除されるように構成されていることを特徴とする請求項３〜５の何れかに記載の遊技機。
【請求項７】
装着封止手段（４９）は、前記閉鎖封止手段（４８）が前記閉鎖封止状態となったときに前記基板ケース（４３）側から前記基板ケース取付台（４５）側に突出する突起部（１３３）を備え、前記基板ケース（４３）が前記基板ケース取付台（４５）に対して前記装着ロック状態にあるとき、前記突起部（１３３）が前記基板ケース取付台（４５）側の係合部（１４６）に係合して前記装着封止状態となるように構成されていることを特徴とする請求項６に記載の遊技機。
【発明の詳細な説明】
【技術分野】
【０００１】
本発明は、パチンコ機、スロットマシン等の遊技機に係り、詳しくは、閉状態で封止可能な基板ケースを遊技機本体側にも封止可能とした遊技機に関するものである。
【背景技術】
【０００２】
パチンコ機、スロットマシン等の遊技機では、各種制御基板等が基板ケースに格納された状態で遊技機本体に装着されている。一般的な基板ケースは、第１ケース体と第２ケース体とを開閉可能に組み合わせることにより略箱形となるように構成され、遊技機本体側に設けられた基板ケース取付台に対して着脱自在に装着されている。
【０００３】
また、遊技機の基板ケースには、制御基板に対する不正防止のための封止手段を備えたものがある。この封止手段には、基板ケースを閉鎖状態で現状復帰不能に封止する閉鎖封止手段と、その基板ケースと基板ケース取付台とを装着状態で現状復帰不能に封止する装着封止手段とがあり、例えば特許文献１に記載された基板ケースはそれら閉鎖封止手段と装着封止手段とを共に備え、夫々別個の封止部材を用いて封止を行うようになっている。
【特許文献１】特開２０００−３３４１４２号公報
【発明の開示】
【発明が解決しようとする課題】
【０００４】
特許文献１に記載された基板ケースでは、閉鎖封止手段と装着封止手段とで夫々別個の封止部材を用いて封止を行っているが、例えば閉鎖封止手段と装着封止手段とで共通の封止部材を使用することができればコスト面で有利になると考えられる。
【０００５】
しかしながら、例えば第１ケース、第２ケース及び基板ケース取付台を１つの封止部材で単に共締めする場合には、その封止部材を用いて基板ケース側のみの封止を行うことができないため、基板ケースのみを搬送するような場合にその内部の基板に対するセキュリティが確保できないという問題がある。
【０００６】
本発明は、上記事情に鑑みてなされたものであり、その目的とするところは、基板ケースの封止とその基板ケースの基板ケース取付台に対する封止とを一の封止部材により行うことができると共に、その封止部材により基板ケースのみの封止も行うことが可能な遊技機を提供することにある。
【課題を解決するための手段】
【０００７】
本発明は、開閉自在に構成され且つ内部に基板１３を格納可能な基板ケース４３と、遊技機筐体１に設けられ且つ前記基板ケース４３を装着可能な基板ケース取付台４５と、前記基板ケース４３を閉鎖状態で封止する閉鎖封止手段４８と、前記基板ケース４３と前記基板ケース取付台４５とを装着状態で封止する装着封止手段４９とを備えた遊技機において、前記閉鎖封止手段４８と前記装着封止手段４９とを一の封止部材５６上に設け、該封止部材５６は、前記装着封止手段４９による封止を行うことなく前記閉鎖封止手段４８による封止を行うことができ、その状態から更に前記装着封止手段４９による封止を行うことが可能に構成されているものである。
【発明の効果】
【０００８】
本発明によれば、基板ケース４３の封止とその基板ケース４３の基板ケース取付台４５に対する封止とを一の封止部材５６により行うことができると共に、その封止部材５６により基板ケース４３のみの封止も行うことができ、内部の基板１３に対するセキュリティが確保された状態でその基板ケース４３のみを単体で搬送することが可能である。
【発明を実施するための最良の形態】
【０００９】
以下、本発明の実施形態を図面に基づいて詳述する。図１〜図２０は本発明をスロットマシンに採用した一実施形態を例示している。なお、以下の説明における上下左右の方向については、特に基準を示さない限り遊技機本体を前側から見た場合の上下左右をいうものとする。
【００１０】
図１及び図２において、１は遊技機本体を構成する筐体（遊技機筐体）であり、本体ケース２と、この本体ケース２の前側に配置された矩形状の前面パネル３とを備えている。本体ケース２は例えば木製で、左右一対の側板４ａ，４ｂと、それら左右の側板４ａ，４ｂの上下両端側を左右に連結する上板５及び底板６と、背面側を略塞ぐ背板７とにより前側が開放する箱形に形成されており、その前側を開閉自在に閉鎖するように前面パネル３が装着されている。
【００１１】
本体ケース２内には、図２に示すように、複数個の図柄表示リール８ａ〜８ｃが左右方向に配列された表示リールユニット９の他、メダル払い出し装置１０、メダル補助ケース１１、電源基板が格納された電源基板ケース１２、主制御基板１３が搭載された主制御基板ユニット１４等が配置されている。表示リールユニット９は、左右の側板４ａ，４ｂ間に架設された中間棚１５上に着脱自在に装着されている。
【００１２】
メダル払い出し装置１０は、払い出し用のメダルを貯留するメダルホッパー１６、メダルホッパー１６内のメダルを払い出すメダル払い出し手段１７、メダルホッパー１６から溢れたメダルをメダル補助ケース１１側に排出する余剰メダル排出口１８等を備え、底板６上に着脱自在に装着されている。メダル補助ケース１１は側板４ｂに近接して底板６上に装着され、電源基板ケース１２はメダル補助ケース１１と反対側で側板４ａの下部側に装着されている。また、主制御基板ユニット１４は、本体ケース２内の縦壁面、例えば背板７の前面側で且つ表示リールユニット９の上側近傍に配置されている。
【００１３】
図１に示すように、前面パネル３は左右一端側、例えば左側に配置されたヒンジ手段  （図示省略）を介して本体ケース２に対して開閉自在に装着されており、その上部側には第１表示窓２１と第２表示窓２２とが上下に配置されている。第１表示窓２１は、前面パネル３の裏側に装着された液晶表示ユニット（図示省略）の表示画面２３に対応して矩形状に形成されており、遊技者はこの第１表示窓２１を介して表示画面２３を前側から視認可能となっている。第２表示窓２２は、本体ケース２側の図柄表示リール８ａ〜８ｃに対応して、第１表示窓２１よりも大型の矩形状に形成されており、遊技者はこの第２表示窓２２を介して図柄表示リール８ａ〜８ｃを前側から視認可能となっている。
【００１４】
また第２表示窓２２の下側には、横長状の操作パネル部２４が設けられている。この操作パネル部２４の上面側には、遊技媒体としてのメダルを投入可能なメダル投入口２５の他、１ベットボタン２６、マックスベットボタン２７及びキャンセルボタン２８が設けられている。操作パネル部２４の前面側には、図柄表示リール８ａ〜８ｃの回転を開始させるためのスタートレバー３１、回転中の図柄表示リール８ａ〜８ｃを夫々個別に停止させるためのストップボタン３２ａ〜３２ｃ、メダル投入口２５内に詰まったメダルを返却させるための返却ボタン３３等が設けられている。
【００１５】
前面パネル３の下端部前側には、メダル払い出し手段１７から払い出されたメダルや返却されたメダルを前側に排出するための排出口３４が設けられ、その前側に、排出口３４から排出されたメダルを受けるメダル受け皿３５が横長状に配置されている。
【００１６】
主制御基板ユニット１４は、主制御基板１３を保護しつつ本体ケース２内に装着するためのもので、図３，図４等に示すように、主制御基板（基板）１３と、互いに嵌め合わせ可能な第１ケース体４１と第２ケース体４２とで開閉自在に構成され且つ内部に主制御基板１３を格納可能な主基板ケース（基板ケース）４３と、この主基板ケース４３に装着され且つ主制御基板１３上の所定のコネクタをカバーするコネクタカバー４４と、本体ケース２に固定され且つ主基板ケース４３を保持する主基板ケース取付台（基板ケース取付台）４５と、主基板ケース４３を閉状態でロックする閉鎖ロック手段４６と、主基板ケース４３と主基板ケース取付台４５とを装着状態でロックする装着ロック手段４７と、主基板ケース４３を閉状態で封止する閉鎖封止手段４８と、主基板ケース４３と主基板ケース取付台４５とを装着状態で封止する装着封止手段４９とを備えており、例えば背板７の前側に主基板ケース取付台４５が装着され、更にその主基板ケース取付台４５の前側に主基板ケース４３が装着されている。
【００１７】
ここで、閉鎖ロック手段４６は、第１ケース体４１側の閉鎖係合手段５１と第２ケース体４２側の閉鎖被係合手段５２とで構成され、装着ロック手段４７は、主基板ケース取付台４５側の装着係合手段５３と主基板ケース４３側の装着被係合手段５４とで構成されている。また、閉鎖封止手段４８と装着封止手段４９とは、主基板ケース４３側の封止装着部５５に装着される同一の封止部材５６上に設けられている。
【００１８】
主制御基板１３は、スタートレバー３１、ストップボタン３２ａ〜３２ｃ等の操作に応じて図柄表示リール８ａ〜８ｃの回転、停止その他の遊技動作を制御するためのもので、図３，図４等に示すように例えば横長矩形状に形成され、その一面側の電子部品装着面１３ａには、外縁に沿って配置される複数個のコネクタ５７、それらコネクタ５７よりも内側の部分に配置されるＲＯＭ５８等、多数の電子部品が装着されている。
【００１９】
主基板ケース４３は、第１ケース体４１と第２ケース体４２とを主制御基板１３の両面側から互いに嵌め合わせることにより略箱形となるように形成されており、主制御基板１３を格納するための基板格納部５９と、例えばこの基板格納部５９の外側に設けられ且つ封止部材５６による封止を行うための被封止部６０とを備えている。本実施形態では、被封止部６０は基板格納部５９の右縁部に沿ってその外側に設けられているものとする。
【００２０】
第１ケース体４１は、主制御基板１３の裏面１３ｂ側に対応するもので、図４〜図１３、特に図４に示すように、基板格納部５９を形成する裏蓋部６１と、被封止部６０を形成する第１被封止部６２とを一体に備えている。裏蓋部６１は、主制御基板１３の裏面１３ｂに対向する例えば横長矩形状の底壁６３と、この底壁６３の四辺のうち、互いに対向する一対の辺、例えば上辺及び下辺に沿って第２ケース体４２側に向けて立設される一対の嵌合壁６４，６５と、底壁６３の四辺のうち、被封止部６０側の例えば右辺に沿って第２ケース体４２側に向けて立設される封止側起立壁６６と、他の一辺に沿って第２ケース体４２側に向けて立設される非封止側起立壁６７とを一体に備えている。
【００２１】
底壁６３の内面（基板格納部５９の内側に対応する面）側の例えば外縁部近傍には、主制御基板１３の裏面１３ｂに略当接する基板支持リブ６８が所定高さで突設されている。また、底壁６３の外面側には、例えば底壁６３の上下両縁部及び被封止部６０とは反対側の左縁部に沿って摺動壁６９が一定高さで突設されている。
【００２２】
嵌合壁６４，６５には、閉鎖ロック手段４６を構成する閉鎖係合手段５１が長手方向に沿って夫々１又は複数、例えば４つずつ設けられている。この閉鎖係合手段５１は、図５〜図７等に示すように、嵌合壁６４，６５の縁部から第２ケース体４２側に向けて突出する係合脚部５１ａと、この係合脚部５１ａの先端側から嵌合壁６４，６５の長手方向に沿って所定の向き、例えば被封止部６０から遠ざかる向き（ここでは左向き）に突出する係合爪部５１ｂとで略Ｌ字型に形成されている。
【００２３】
なお、本実施形態では、この第１ケース体４１に対して第２ケース体４２を嵌合壁６４，６５に沿って相対的にスライドさせることにより、互いに嵌め合わせた状態が保持される閉鎖ロック状態と保持されない閉鎖アンロック状態とを切り換え可能となっており、また主基板ケース取付台４５に対して主基板ケース４３を同じく嵌合壁６４，６５に沿って相対的にスライドさせることにより、装着状態が保持される装着ロック状態と保持されない装着アンロック状態とを切り換え可能となっていることから、以下の説明では嵌合壁６４，６５に沿った方向（ここでは左右方向）を「スライド方向」というものとする。
【００２４】
第１被封止部６２は、裏蓋部６１の例えば右側に一体に設けられており、図５，図６等に示すように、例えば裏蓋部６１側の底壁６３の外縁側から封止側起立壁６６の外側に向けて延設された裏カバー板７１と、この裏カバー板７１上に設けられた第１封止装着部７２と、第１封止装着部７２を挟んで封止側起立壁６６と対向するように裏カバー板７１の内面側に立設された対向起立板７４と、その対向起立板７４の両端側と封止側起立壁６６との間を接続するように裏カバー板７１の内面側に立設された一対の側方起立板７５と、第２ケース体４２側の係合部７６が係合する被係合部７７とを一体に備えている。
【００２５】
裏カバー板７１は、スライド方向に直交する方向、即ち封止側起立壁６６に沿う方向に細長略矩形状に形成され、その内面側で且つ封止側起立壁６６、対向起立板７４及び側方起立板７５により取り囲まれた領域内に、封止側起立壁６６に沿って第１封止装着部７２が複数、例えば二つ配置されている。なお、封止側起立壁６６は、第１被封止部６２に対応する範囲、即ち一対の側方起立板７５で挟まれた範囲に切欠が形成されており、その範囲内の部分、即ち被封止部６０と基板格納部５９とを区分する区分壁６６ａの部分の高さがそれ以外の部分よりも低くなっている。また、対向起立板７４は、例えば封止側起立壁６６の区分壁６６ａ以外の部分と略同じ高さに形成されている。
【００２６】
第１封止装着部７２は、封止装着部５５を構成するもので、図５〜図１３等に示すように、例えば四角形の筒状に形成され且つその軸方向が裏カバー板７１に略直交するように裏カバー板７１に一体に設けられた筒状部７２ａと、この筒状部７２ａの外端部を略閉鎖する底板部７２ｂとで構成されている。
【００２７】
第１封止装着部７２の筒状部７２ａは、その外端部の底板部７２ｂが裏カバー板７１の外面側に若干突出するように裏カバー板７１の内外両面側に向けて突設されており、その内周面上には、軸方向に配置される複数の突条７８と、内端部から外端部側に向けて形成され且つ互いに対向する一対の爪嵌合溝７９とが形成されている。なお、第１封止装着部７２の内側への突出高さは封止側起立壁６６の区分壁６６ａと略同じである。
【００２８】
また、第１封止装着部７２の外端部には、底板部７２ｂに沿ってスライド方向に直交する方向に突出する一対の嵌合鍔部８０が、また第１封止装着部７２の内端部には、筒状部７２ａの外周面に沿って軸方向に突出する囲い壁８１が、夫々一体に設けられている。なお、この囲い壁８１は、少なくともスライド方向の一方側、例えば裏蓋部６１側に向けて開放するように欠落部８１ａが形成されている。また、第１封止装着部７２の底板部７２ｂには、例えばスライド方向に長い細長状の貫通孔８２が形成されている。
【００２９】
また、一対の側方起立板７５上には、閉鎖ロック手段４６を構成する閉鎖係合手段５１が夫々１又は複数、例えば１つずつ設けられている。この閉鎖係合手段５１は、図５，図６等に示すように、裏蓋部６１側の嵌合壁６４，６５に設けられているものと同様、側方起立板７５の縁部から第２ケース体４２側に向けて突出する係合脚部５１ａと、この係合脚部５１ａの先端側から側方起立板７５の長手方向（スライド方向）に沿って所定の向き、例えば左向きに突出する係合爪部５１ｂとで略Ｌ字型に形成されている。
【００３０】
被係合部７７は、例えば各第１封止装着部７２の間で且つ裏カバー板７１の内側に配置されている。即ち、裏カバー板７１には、２つの第１封止装着部７２の間に対応して内向きに凹入する凹入部８３が形成され、その凹入部８３の底板８３ａ上には封止側起立壁６６寄りの位置に嵌合孔８４が形成されており、この嵌合孔８４における対向起立板７４側の縁部が被係合部７７となっている。また、凹入部８３内には、底板８３ａよりも外側で且つ嵌合孔８４に対応する位置に、裏カバー板７１と平行な固定壁８５が凹入部８３に一体に設けられており、この固定壁８５にねじ挿通孔８６が形成されている。なお、凹入部８３の凹入高さは封止側起立壁６６の区分壁６６ａの高さと略同じである。
【００３１】
第２ケース体４２は、主制御基板１３の電子部品装着面１３ａ側に対応するもので、図４〜図１３、特に図４に示すように、基板格納部５９を構成する表蓋部９１と、被封止部６０を構成する第２被封止部９２とを一体に備えている。表蓋部９１は、主制御基板１３の外縁を取り囲む上下左右の周壁９３〜９６と、主制御基板１３の電子部品装着面１３ａに対向する上壁９７とを一体に備え、第１ケース体４１側が開放されて開口９８を形成している。
【００３２】
上壁９７は、その外周に沿って設けられた低壁部９７ａと、その低壁部９７ａの内側で外向きに膨出する膨出部９７ｂとを備えている。低壁部９７ａ上には、主制御基板１３のコネクタ５７に対応して内向きに凹入する複数の凹部９９ａ〜９９ｃが設けられ、それら凹部９９ａ〜９９ｃには主制御基板１３側のコネクタ５７が嵌合するコネクタ嵌合孔１００が夫々１又は複数設けられている。膨出部９７ｂは、主制御基板１３の電子部品装着面１３ａとの間に電子部品の収容空間を確保するためのもので、例えばＲＯＭ５８に対応する位置にはＲＯＭ５８を不正に交換する行為等を防止するための凹部１０２等が形成されている。
【００３３】
また、表蓋部９１には、閉鎖ロック手段４６を構成する閉鎖被係合手段５２と、装着ロック手段４７を構成する装着被係合手段５４とが、例えばその上下の周壁９３，９４に沿って配置されている。即ち、図５，図１１等に示すように、上下の周壁９３，９４の内側及び外側には夫々若干の隙間を挟んで内ガイド板９３ａ，９４ａ及び外ガイド板９３ｂ，９４ｂが上壁９７の裏側に向けて立設されており、周壁９３，９４と内ガイド板９３ａ，９４ａとの間の閉鎖ガイド溝１０３内に閉鎖被係合手段５２が、周壁９３，９４と外ガイド板９３ｂ，９４ｂとの間の装着ガイド溝１０４内に装着被係合手段５４が、夫々設けられている。
【００３４】
閉鎖被係合手段５２は、第１ケース体４１側の嵌合壁６４，６５上に設けられた複数、例えば各４つの閉鎖係合手段５１に対応して閉鎖ガイド溝１０３内に複数、例えば各４つ設けられており、図５に示すように、第１ケース体４１と第２ケース体４２とを互いに嵌め合わせたときに閉鎖係合手段５１の係合爪部５１ｂが嵌合する嵌合部５２ａと（閉鎖アンロック状態）、その状態から第２ケース体４２を第１ケース体４１に対して閉鎖ガイド溝１０３に沿って所定の向き（ここでは右向きとする）に相対的にスライドさせることにより係合爪部５１ｂが係合する被係合部５２ｂと（閉鎖ロック状態）で構成されている。
【００３５】
嵌合部５２ａは、例えば閉鎖ガイド溝１０３に対応して上壁９７に形成されたスリットにより構成されている。また、被係合部５２ｂは、上壁９７よりも内側の位置でスライド方向に沿って嵌合部５２ａ内に突出しており、周壁９３，９４と内ガイド板９３ａ，９４ａとを連結するように一体に設けられている。
【００３６】
また、装着被係合手段５４は、装着ガイド溝１０４内に複数、例えば各４つ設けられており、図５に示すように、閉鎖被係合手段５２と同様、主基板ケース４３を主基板ケース取付台４５に嵌め込んだときに装着係合手段５３の係合爪部５３ｂが嵌合する嵌合部５４ａと（装着アンロック状態）、その状態から主基板ケース４３を主基板ケース取付台４５に対して装着ガイド溝１０４に沿って所定の向き（ここでは右向きとする）に相対的にスライドさせることにより係合爪部５３ｂが係合する被係合部５４ｂと（装着ロック状態）で構成されている。
【００３７】
嵌合部５４ａは、例えば装着ガイド溝１０４に対応して上壁９７に形成されたスリットにより構成されている。また、被係合部５４ｂは、上壁９７よりも内側の位置でスライド方向に沿って嵌合部５４ａ内に突出しており、周壁９３，９４と外ガイド板９３ｂ，９４ｂとを連結するように一体に設けられている。
【００３８】
このような表蓋部９１に対し、主制御基板１３は、コネクタ５７をコネクタ嵌合孔１００に嵌合させつつ開口９８側から嵌め込まれ、電子部品装着面１３ａを凹部９９ａ〜９９ｃの内面側に当接させた状態でねじ止め等により着脱自在に固定されている。なお、表蓋部９１内に装着された主制御基板１３は、その上下の縁部が一対の内ガイド板９３ａ，９４ａよりも内側にくるようになっている。
【００３９】
また、この表蓋部９１には、コネクタカバー４４が着脱自在に装着されている。このコネクタカバー４４は、主制御基板１３に設けられた複数のコネクタ５７のうち、例えば下側の凹部９９ｃ内に配置されるコネクタ５７ａ，５７ｂを、これらに結合されたハーネス側コネクタ１０５ａ，１０５ｂと共に覆うもので、図３，図４等に示すように、その一端側には表蓋部９１側の軸保持部１０６により着脱自在且つ回転自在に保持されるヒンジピン１０７が、他端側には表蓋部９１側のケース側結束部１０８に対応するカバー側結束部１０９が夫々一体に設けられている。
【００４０】
コネクタカバー４４を表蓋部９１に装着する際には、コネクタカバー４４のヒンジピン１０７を表蓋部９１側の軸保持部１０６に係合させ、そのヒンジピン１０７廻りに回転させることによりコネクタ５７ａ，５７ｂ及びこれらに結合されたハーネス側コネクタ１０５ａ，１０５ｂに覆い被せ、カバー側結束部１０９とケース側結束部１０８とを結束バンド（図示省略）等により抜脱不能に結束する。これにより、結束バンドを切断してコネクタカバー４４を取り外さない限り、ハーネス側コネクタ１０５ａ，１０５ｂをコネクタ５７ａ，５７ｂから抜き取ることができなくなり、コネクタ５７ａ，５７ｂへの不正部品の接続による不正行為を効果的に防止できる。
【００４１】
第２被封止部９２は、第１ケース体４１側の第１被封止部６２に対応して表蓋部９１の例えば右側に一体に設けられており、図５，図６等に示すように、例えば表蓋部９１側の低壁部９７ａの外縁側から右周壁９６の外側に向けて延設された表カバー板１１１と、この表カバー板１１１上の開口部１１２内に配置された第２封止装着部１１３と、第２封止装着部１１３を挟んで右周壁９６と対向するように表カバー板１１１の裏側に立設された対向起立板１１４と、その対向起立板１１４の両端側と右周壁９６との間を接続するように表カバー板１１１の裏側に立設された一対の側方起立板１１５と、第１ケース体４１側の被係合部７７に係合する係合部７６とを備えている。
【００４２】
表カバー板１１１は、第１被封止部６２側の裏カバー板７１と同様の略矩形状で、例えば表蓋部９１の右周壁９６に沿って開口部１１２が１又は複数、例えば２つ形成されており、それら各開口部１１２内に夫々１個ずつ第２封止装着部１１３が配置されている。
【００４３】
第２封止装着部１１３は、第１ケース体４１側の第１封止装着部７２と共に封止装着部５５を構成するもので、例えば第１封止装着部７２の筒状部７２ａに対応する四角形の筒状に形成されており、図８〜図１３等に示すように、第１ケース体４１と第２ケース体４２とが閉鎖ロック状態となったときに、その内端部が第１封止装着部７２の内端部に合致して軸方向に連通し、その第１封止装着部７２と共に１本の筒体を形成するように配置されている。
【００４４】
この第２封止装着部１１３には、図３，図６等に示すように、例えばその内周側の一箇所に軸方向の溝１１６が形成されており、またその外端部には外周側に所定厚さの囲い壁を残して軸方向の凹部１１７が、内端部には外周面に沿って第１封止装着部７２側の囲い壁８１が嵌合可能な嵌合溝１１８が夫々形成されている。なお、第２封止装着部１１３は、その軸方向長さが表蓋部９１側の低壁部９７ａの高さ、即ち右周壁９６の高さよりも小さく（例えば略半分）となっており、外端部が表カバー板１１１と略一致するか又はそれよりも若干内側に配置されている。
【００４５】
また第２封止装着部１１３は、図３、図５，図６等に示すように、この第２封止装着部１１３と開口部１１２との隙間を横切るように配置される１又は複数、例えば３つの支持リブ（損壊部）１１９ａ〜１１９ｃを介して第２ケース体４２に一体に支持されている。支持リブ１１９ａは、第２封止装着部１１３の４つの周壁のうち、対向起立板１１４に対向する周壁１１３ａ上の略中央と対向起立板１１４との間を接続するように設けられている。なお、対向起立板１１４の高さは右周壁９６の高さよりも小さく、例えば第２封止装着部１１３の軸方向長さと略同じに形成されている。
【００４６】
また、支持リブ１１９ｂ，１１９ｃは、第２封止装着部１１３の４つの周壁のうち、表蓋部９１側の右周壁９６に対向する周壁１１３ｂ上の両端側と右周壁９６との間を接続するように設けられている。なお、開口部１１２には、支持リブ１１９ｂ，１１９ｃの両側に十分な隙間を確保すべく、右周壁９６に沿って拡幅部１１２ａが形成されている。
【００４７】
係合部７６は、第１ケース体４１側の被係合部７７に対応して例えば各開口部１１２の間で且つ表カバー板１１１の裏側に配置され、図６等に示すように、例えば表カバー板１１１の裏側に突設された支持手段から対向起立板１１４側に向けて表カバー板１１１と平行に突設されている。本実施形態では、各開口部１１２の間に対応して表カバー板１１１の裏側に第１ケース体４１側のねじ挿通孔８６に対応するねじ止め基部１２１が突設されており、このねじ止め基部１２１が係合部７６の支持手段を構成している。なお、係合部７６とその両側の開口部１１２との間には、一対の側壁１２２が、表カバー板１１１の裏側から例えば右周壁９６と略同じ高さで立設されている。
【００４８】
また、第２被封止部９２には、閉鎖ロック手段４６を構成する閉鎖被係合手段５２が、例えば側方起立板１１５に沿って配置されている。即ち、図５，図６等に示すように、各側方起立板１１５の内側には夫々若干の隙間を挟んで内ガイド板１１５ａが表カバー板１１１の裏側に向けて立設されており、側方起立板１１５と内ガイド板１１５ａとの間の閉鎖ガイド溝１２３内に閉鎖被係合手段５２が設けられている。
【００４９】
閉鎖被係合手段５２は、第１ケース体４１側の側方起立板７５上に設けられた閉鎖係合手段５１に対応して閉鎖ガイド溝１２３内に例えば１つ設けられており、図５等に示すように、閉鎖アンロック状態のときに閉鎖係合手段５１の係合爪部５１ｂが嵌合する嵌合部５２ａと、閉鎖ロック状態のときに係合爪部５１ｂが係合する被係合部５２ｂとで構成されている。嵌合部５２ａは、例えば閉鎖ガイド溝１２３に対応して表カバー板１１１に形成されたスリットにより構成されている。また、被係合部５２ｂは、表カバー板１１１よりも内側の位置でスライド方向に沿って嵌合部５２ａ内に突出しており、側方起立板１１５と内ガイド板１１５ａとを連結するように一体に設けられている。
【００５０】
封止部材５６は、主基板ケース４３を閉状態で封止する閉鎖封止手段４８と、主基板ケース４３と主基板ケース取付台４５とを装着状態で封止する装着封止手段４９とを構成するもので、主基板ケース４３等とは別体に形成され、例えば１つの主制御基板ユニット１４に対して１個設けられている。
【００５１】
封止部材５６は、図５，図６，図８，図１１等に示すように、挿通軸部（挿通部）１３１と、この挿通軸部１３１の後端側に設けられた鍔部１３２と、挿通軸部１３１の先端側に設けられた突起部１３３と、挿通軸部１３１上に設けられた抜け止め係合爪（抜け止め部）１３４とを一体に備えている。
【００５２】
挿通軸部１３１は、主基板ケース４３が閉鎖ロック状態のときに第１封止装着部７２と第２封止装着部１１３とに跨るように封止装着部５５内に挿通されて閉鎖アンロック状態側へのスライドを阻止するもので、封止装着部５５の内側に略隙間なく挿通可能な形状、例えば四角形の筒状に形成されており、その軸方向長さは封止装着部５５の内部長さと略一致している。また、挿通軸部１３１の外周面上には、第２封止装着部１１３側の溝１１６に対応して軸方向の突条１３５が設けられており、この突条１３５を溝１１６に嵌合させた状態でなければ挿通軸部１３１が封止装着部５５に挿通不可能とすることで封止装着部５５に装着する際の封止部材５６の方向が規定されている。
【００５３】
鍔部１３２は、例えば筒状に形成された挿通軸部１３１の後端側を閉鎖すると共に、その外縁側が挿通軸部１３１の外周面よりも外側に鍔状に突出しており、挿通軸部１３１を封止装着部５５内に挿通させたとき、第２封止装着部１１３の外端部に略当接して挿入方向への移動を所定位置で規制するようになっている。なお、鍔部１３２が第２封止装着部１１３の外端部に略当接したとき、鍔部１３２は凹部１１７内に収容されて第２封止装着部１１３の外端部と略面一となる。
【００５４】
突起部１３３は、第１封止装着部７２の底板部７２ｂに形成された貫通孔８２に対応するもので、挿通軸部１３１の先端部略中央から軸方向に突出しており、封止部材５６が封止装着部５５に装着されたとき、図７，図９，図１２に示すように貫通孔８２を介して第１ケース体４１の裏側に突出するようになっている。また、突起部１３３の先端部はスライド方向のロック側（右側）からアンロック側（左側）に向けて徐々に突出量が大きくなる傾斜状に形成されている。なお、突起部１３３は貫通孔８２の形状に対応して例えばスライド方向に沿った板状に形成され、例えば挿通軸部１３１内に軸方向に配置された補強リブ１３６を介して挿通軸部１３１に一体に設けられている。
【００５５】
抜け止め係合爪１３４は、封止装着部５５に挿通された挿通軸部１３１の抜けを阻止するもので、例えば挿通軸部１３１の外周側に１又は複数、例えば軸を挟んで互いに対称な位置に２つ設けられている。この抜け止め係合爪１３４は、挿通軸部１３１の外周面よりも外側に突出する突出状態と突出しない待避状態とに切り換え可能で且つ突出状態側に弾性付勢され、挿通軸部１３１の軸方向に沿ってその後端側が係合面１３４ａ、外面側が傾斜状の案内面１３４ｂとなっており、挿通軸部１３１が封止装着部５５に挿通されたときに係合面１３４ａが第２封止装着部１１３の例えば内端部に係合するように（図１２）、挿通軸部１３１の軸方向中間位置に配置されている。
【００５６】
なお、以上のような封止部材５６の構成部分のうち、挿通軸部１３１と抜け止め係合爪１３４とが閉鎖封止手段４８を、突起部１３３が装着封止手段４９を夫々構成している。
【００５７】
主基板ケース取付台４５は、図４，図７，図９，図１０，図１２，図１３、特に図４に示すように、第１ケース体４１側の底壁６３及び裏カバー板７１に対応する形状に形成されたベース板１４１と、主基板ケース４３の閉鎖ガイド溝１０３に対応してベース板１４１の上下両縁に沿って前向き突出状に設けられる装着レール板１４２，１４３と、主基板ケース４３の被封止部６０及びその近傍の外周に対応してベース板１４１の右側縁部に沿って前向き突出状に設けられる封止カバー板１４４と、主基板ケース４３における被封止部６０とは反対側の端部（左端部）に対応してベース板１４１の左側縁部に沿って前向き突出状に設けられる非封止側立設板１４５とを一体に備えており、ベース板１４１に設けられた複数の固定孔１４１ａにおいて本体ケース２の背板７の内面側にねじ止め固定されている。なお、主基板ケース取付台４５に主基板ケース４３を装着した状態ではその主基板ケース４３によって固定孔１４１ａ及び固定ねじ（図示省略）が覆われてしまうため、本体ケース２から主基板ケース取付台４５ごと主基板ケース４３を取り外すことはできない。
【００５８】
装着レール板１４２，１４３には、装着ロック手段４７を構成する装着係合手段５３が長手方向に沿って夫々１又は複数、例えば主基板ケース４３側の装着被係合手段５４に対応して４つずつ設けられている。この装着係合手段５３は、図６，図７等に示すように、例えば閉鎖係合手段５１と同様、装着レール板１４２，１４３の縁部から主基板ケース４３側（前側）に向けて突出する係合脚部５３ａと、この係合脚部５３ａの先端側から装着レール板１４２，１４３の長手方向に沿ってスライド方向のアンロック側（ここでは左側）に突出する係合爪部５３ｂとで略Ｌ字型に形成されており、主基板ケース４３が主基板ケース取付台４５に嵌め込まれて装着アンロック状態となったときに装着係合手段５３の係合爪部５３ｂが装着被係合手段５４の嵌合部５４ａに嵌合し、その状態から主基板ケース４３を主基板ケース取付台４５に対して装着ガイド溝１０４に沿って右向きに相対的にスライドさせることにより係合爪部５３ｂが装着被係合手段５４の被係合部５４ｂに係合して装着ロック状態となるように構成されている。
【００５９】
非封止側立設板１４５は、ベース板１４１からの高さが例えば第１ケース体４１の摺動壁６９の高さと略同じに形成され、主基板ケース４３が主基板ケース取付台４５に対して装着アンロック状態となったときに第１ケース体４１の左摺動壁６９ａの左側（スライド方向のアンロック側）に近接又は当接する位置に設けられている。また、非封止側立設板１４５上には、第１ケース体４１の突条７０に対応する嵌合溝１４５ａが設けられており、主基板ケース４３が主基板ケース取付台４５に対して装着アンロック状態と装着ロック状態との間で相対的にスライドされる際に突条７０がこの嵌合溝１４５ａ内で摺動するようになっている。
【００６０】
また、ベース板１４１上には、装着封止係合爪（係合部）１４６と一対の装着嵌合溝１４７とが、主基板ケース４３側の各封止装着部５５に対応して例えば２組設けられている。装着封止係合爪１４６は、封止部材５６の突起部１３３に対応するもので、例えばベース板１４１上にスライド方向に沿って設けられた凹入部１４８内に設けられている。この装着封止係合爪１４６は、図９，図１０等に示すように、封止部材５６の突起部１３３に係合可能な係合位置と係合不可能な待避位置とに切り換え可能で且つ係合位置側に弾性付勢され、スライド方向に沿ってそのロック側（右端側）が係合面１４６ａ、前面側が傾斜状の案内面１４６ｂとなっており、主基板ケース４３が主基板ケース取付台４５に対して装着アンロック状態から装着ロック状態にスライドされたときに係合面１４６ａが封止部材５６の突起部１３３のスライド方向アンロック側（左側）に係合して装着アンロック状態側へのスライドを規制するようになっている（図１０）。
【００６１】
装着嵌合溝１４７は、第１ケース体４１の嵌合鍔部８０に対応するもので、図１２，図１３等に示すように、例えば装着封止係合爪１４６を挟んでその両側に配置されており、主基板ケース４３が主基板ケース取付台４５に対して装着アンロック状態から装着ロック状態にスライドされたときに第１ケース体４１の嵌合鍔部８０が嵌合してベース板１４１から離間する方向の移動を規制するようになっている。
【００６２】
以上のような主制御基板ユニット１４を本体ケース２内に装着する際には、まず主制御基板１３を主基板ケース４３内に格納した状態で封止し、更にその封止された状態の主基板ケース４３を、予め本体ケース２内の背板７に固定された主基板ケース取付台４５に対して装着・封止するという手順で行う。以下、図１４〜図２０等を参照しつつその手順を簡単に説明する。
【００６３】
主基板ケース４３を閉状態で封止する際には、予め主制御基板１３が装着された状態の第２ケース体４２を、図１４に矢印で示すように第１ケース体４１に対して前側から嵌め合わせ、第１ケース体４１側の閉鎖係合手段５１を、第２ケース体４２側の閉鎖ガイド溝１０３，１１３内の嵌合部５２ａに夫々嵌合させて閉鎖アンロック状態とする（図１４→図１５）。このとき、図１５（ｂ）に示すように、第２ケース体４２側の第２封止装着部１１３と第１ケース体４１側の第１封止装着部７２とは互いの軸がスライド方向にずれた状態となっている。
【００６４】
続いて、第２ケース体４２を第１ケース体４１に対して図１５に矢印で示すように右向きにスライドさせる。これにより、第１ケース体４１側の閉鎖係合手段５１が第２ケース体４２側の被係合部５２ｂに係合し、主基板ケース４３は閉鎖ロック状態となると共に、第２ケース体４２側の第２封止装着部１１３と第１ケース体４１側の第１封止装着部７２とがスライド方向に直交する前後方向に互いに合致した状態となる（図１５→図１６）。
【００６５】
またこのとき、第２封止装着部１１３側の内端部に形成された嵌合溝１１８に、第１封止装着部７２側の囲い壁８１が嵌合し、第２封止装着部１１３の内端部が囲い壁８１により外周側から被われた状態になると共に、それら第２封止装着部１１３及び第１封止装着部７２の近傍で、第２ケース体４２側の係合部７６が第１ケース体４１側の被係合部７７に係合して（図７）、第２封止装着部１１３と第１封止装着部７２が離間する方向への変形が規制される。
【００６６】
続いて、複数の第２封止装着部１１３のうちの１つに対して、図１６に矢印で示すように封止部材５６をその挿通軸部１３１の先端側から挿入し、後端側の鍔部１３２が第２封止装着部１１３の凹部１１７内に収まるまで押し込む（図１６→図１７）。このとき、封止部材５６の抜け止め係合爪１３４は、第２封止装着部１１３の内周面に押されて待避状態まで弾性変形しつつ第２封止装着部１１３内を通過する。なお、挿通軸部１３１を第２封止装着部１１３に挿入する際、挿通軸部１３１に設けられている突条１３５を第２封止装着部１１３の内周側に設けられている溝１１６に合わせなければ挿入できないため、封止部材５６を誤った向きに挿入する心配はない。
【００６７】
鍔部１３２が凹部１１７内に収まるまで封止部材５６が押し込まれたとき、挿通軸部１３１は第２封止装着部１１３を通過して第１封止装着部７２側に到達する（図９）。これにより、第１封止装着部７２と第２封止装着部１１３とはスライド方向に相対移動不可能となるため、第２ケース体４２と第１ケース体４１とは閉鎖ロック状態で規制される。なおこのとき、挿通軸部１３１の先端側の突起部１３３が第１封止装着部７２の貫通孔８２を介して第１ケース体４１の裏側に突出した状態となる。
【００６８】
また、図１２に示すように、挿通軸部１３１上の抜け止め係合爪１３４が第２封止装着部１１３の内端部に係合して挿通軸部１３１の抜けが阻止されると共に、その抜け止め係合爪１３４は、第１封止装着部７２側の内端部（この部分を抜け止めカバー部１５１とする）によって外側から被われた状態となるため、外部から抜け止め係合爪１３４の係合を解除して封止部材５６を抜き取ることはできず、従って主基板ケース４３は閉鎖アンロック状態側へのスライドが解除不能に阻止された閉鎖封止状態となる。
【００６９】
この時点では、主基板ケース４３は本体ケース２側への装着及び封止は行われておらず、閉状態での封止のみが行われた状態であるため、内部の主制御基板１３に対するセキュリティが確保された状態でその主基板ケース４３のみを単体で搬送することが可能である。
【００７０】
なお、運搬時等における過大な負荷による封止部材５６の損傷を防止するため、図１２に示すように、主基板ケース４３の裏側から第１ケース体４１側のねじ挿通孔８６を介して第２ケース体４２側のねじ止め基部１２１に固定ねじ１５２をねじ込むことにより第１ケース体４１と第２ケース体４２とを固定することが望ましい。
【００７１】
その閉鎖封止状態の主基板ケース４３を、予め本体ケース２内の背板７に固定された主基板ケース取付台４５に装着する際には、図１７に矢印で示すように主基板ケース４３を裏面側から主基板ケース取付台４５内に嵌め込み、主基板ケース取付台４５側の装着係合手段５３を、第２ケース体４２側の装着ガイド溝１０４内の嵌合部５４ａに夫々嵌合させて装着アンロック状態とする（図１７→図１８）。
【００７２】
続いて、主基板ケース４３を主基板ケース取付台４５に対して図１８に矢印で示すように右向きにスライドさせる（図１８→図１９）。これにより、主基板ケース取付台４５側の装着係合手段５３が第２ケース体４２側の被係合部５４ｂに係合し、主基板ケース４３は主基板ケース取付台４５に対して装着ロック状態となる。また、そのスライド中、主基板ケース取付台４５側の装着封止係合爪１４６は、主基板ケース４３の裏側に突出した封止部材５６の突起部１３３に押されて待避位置側へ弾性変形することにより突起部１３３の通過を許容すると共に、主基板ケース４３が装着ロック状態となったとき、突起部１３３のスライド方向アンロック側に係合し、装着アンロック状態側へのスライドを規制する（図１８）。
【００７３】
またこのとき、突起部１３３の近傍に配置されている主基板ケース４３側の嵌合鍔部８０が主基板ケース取付台４５の装着嵌合溝１４７に嵌合して前側、即ち突起部１３３が係合部１４６から外れる方向への移動が確実に規制され、しかも装着封止係合爪１４６は、主基板ケース取付台４５のベース板１４１上に設けられており、主基板ケース取付台４５が本体ケース２の背板７に固定された状態では外部からその係合を解除することはできず、従って主基板ケース４３は主基板ケース取付台４５に対して装着アンロック状態側へのスライドが解除不能に阻止された装着封止状態となる。
【００７４】
このように、本実施形態では、主基板ケース４３の閉状態での封止とその主基板ケース４３の主基板ケース取付台４５に対する封止とを一の封止部材５６により行うことができる。
【００７５】
なお、コネクタカバー４４は、主基板ケース４３を主基板ケース取付台４５に装着し、主基板ケース４３側のコネクタ５７ａ，５７ｂにハーネス側コネクタ１０５ａ，１０５ｂを夫々接続した後に装着すればよい。
【００７６】
検査等のために主基板ケース４３を開封する場合には、封止部材５６が装着されている第２封止装着部１１３を支持している支持リブ１１９ａ〜１１９ｃをニッパー等の切断工具を用いて切断し、図２０に示すように封止部材５６ごと第２ケース体４２から取り外す。これにより、装着封止係合爪１４６に係合していた突起部１３３がなくなって装着封止状態が解除されるため、主基板ケース４３を主基板ケース取付台４５に対して装着アンロック状態側にスライドさせることにより主基板ケース取付台４５から取り外すことができる。
【００７７】
また、第２封止装着部１１３が封止部材５６と共に主基板ケース４３から除去されたことにより、主基板ケース４３の閉鎖封止状態も解除されるため、第１ケース体４１を第２ケース体４２に対して閉鎖アンロック状態側にスライドさせることにより主基板ケース４３を開封することができる。
【００７８】
このように、封止に用いている第２封止装着部１１３に関する支持リブ１１９ａ〜１１９ｃを損壊するだけで、装着封止状態と閉鎖封止状態との両方を同時に解除することができる。また、第２封止装着部１１３が封止部材５６ごと主基板ケース４３から除去されたことにより、第１封止装着部７２側の抜け止めカバー部１５１により被われていた抜け止め係合爪１３４が露出するため（図２０（ｂ））、その抜け止め係合爪１３４を操作することにより封止部材５６を第２封止装着部１１３から完全な状態で取り外し、次回の封止に用いることができる。
【００７９】
以上説明したように、本実施形態のスロットマシンは、閉鎖封止手段４８と装着封止手段４９とを一の封止部材５６上に設け、この封止部材５６は、装着封止手段４９による封止を行うことなく閉鎖封止手段４８による封止を行うことができ、その状態から更に装着封止手段４９による封止を行うことが可能に構成されているため、主基板ケース４３の封止とその主基板ケース４３の主基板ケース取付台４５に対する封止とを一の封止部材５６により行うことができると共に、その封止部材５６により主基板ケース４３のみの封止も行うことができ、内部の主制御基板１３に対するセキュリティが確保された状態でその主基板ケース４３のみを単体で搬送することが可能である。
【００８０】
また、主基板ケース４３は互いに嵌め合わせ可能な第１ケース体４１と第２ケース体４２とを備え、それら第１ケース体４１と第２ケース体４２とは、互いに嵌め合わせた状態が保持される閉鎖ロック状態と保持されない閉鎖アンロック状態との間で相対的にスライド可能に構成されており、封止部材５６が閉鎖ロック状態にある主基板ケース４３の封止装着部５５に装着されたとき、閉鎖封止手段４８が閉鎖アンロック状態側へのスライドを解除不能に阻止する閉鎖封止状態となるように構成されているため、閉鎖封止手段４８は閉鎖ロック状態から閉鎖アンロック状態へのスライドのみを阻止できればよく、簡単な構造で十分な封止強度を得られると共に、その配置位置も比較的自由に設定できるという利点がある。
【００８１】
また、主基板ケース４３は主基板ケース取付台４５に対して装着状態が保持される装着ロック状態と保持されない装着アンロック状態との間でスライド可能に構成されており、閉鎖封止手段４８により閉鎖封止状態となっている主基板ケース４３が主基板ケース取付台４５に対して装着アンロック状態から装着ロック状態までスライドしたとき、装着封止手段４９が装着アンロック状態側へのスライドを解除不能に阻止する装着封止状態となるように構成されているため、装着封止手段４９も装着ロック状態から装着アンロック状態へのスライドのみを阻止できればよく、簡単な構造で十分な封止強度を得られると共に、その配置位置も比較的自由に設定できる。
【００８２】
封止装着部５５は、第１ケース体４１側の第１封止装着部７２と第２ケース体４２側の第２封止装着部１１３とを備え、第１ケース体４１と第２ケース体４２とが閉鎖ロック状態となったとき、第１封止装着部７２と第２封止装着部１１３とがスライド方向に略直交する方向に互いに合致するように構成されており、閉鎖封止手段４８は、第１封止装着部７２と第２封止装着部１１３とに跨るように挿通されて閉鎖アンロック状態側へのスライドを阻止する挿通軸部１３１と、この挿通軸部１３１の抜けを阻止する抜け止め係合爪１３４とを備えているため、挿通軸部１３１に十分な剪断剛性を持たせることにより封止強度を容易に確保することができ、また抜け止め係合爪１３４には過大な負荷がかかることがないため構造を簡略化できる。
【００８３】
第２封止装着部１１３は損壊容易な支持リブ１１９ａ〜１１９ｃを介して第２ケース体４２に一体に設けられ、抜け止め係合爪１３４は第２封止装着部１１３側に係脱自在に係合するように構成され、第１封止装着部７２には第２封止装着部１１３側に係合した抜け止め係合爪１３４を係合解除不能に覆う抜け止めカバー部１５１が設けられ、支持リブ１１９ａ〜１１９ｃが損壊されて第２封止装着部１１３が封止部材５６と共に第２ケース体４２から除去されることにより、挿通軸部１３１が第１封止装着部７２から抜けて閉鎖封止状態が解除されると共に、抜け止め係合爪１３４が抜け止めカバー部１５１から離れて第２封止装着部１１３への係合を容易に解除可能となるように構成されているため、封止状態では外部からの抜け止め係合爪１３４の解除操作を完全に防止でき、しかも開封時には封止部材５６を完全な状態で取り出して次回以降の封止に用いることができる。
【００８４】
装着封止手段４９は、閉鎖封止手段４８が閉鎖封止状態となったときに主基板ケース４３側から主基板ケース取付台４５側に突出する突起部１３３を備え、主基板ケース４３が主基板ケース取付台４５に対して装着ロック状態にあるとき、突起部１３３が主基板ケース取付台４５側の装着封止係合爪１４６に係合して装着封止状態となるように構成されているため、主基板ケース４３が閉状態で封止されていることを条件に主基板ケース４３を主基板ケース取付台４５に封止可能とすることができ、逆に主基板ケース４３の閉状態での封止を解除することにより同時に主基板ケース４３の主基板ケース取付台４５に対する封止を解除することが可能となる。
【００８５】
以上、本発明の実施形態について詳述したが、本発明はこれらの実施形態に限定されるものではなく、本発明の趣旨を逸脱しない範囲で種々の変更が可能である。例えば、実施形態では、封止部材５６上の抜け止め部１３４が第２ケース体４２側の第２封止装着部１１３側にのみ係合し、開封する際には第２封止装着部１１３のみを封止部材５６と共に除去するように構成したが、封止部材５６が第２封止装着部１１３と第１封止装着部７２とに挿通された状態で第１封止装着部７２側に係合し、開封する際には第１封止装着部７２と第２封止装着部１１３とを共に除去するように構成してもよい。
【００８６】
実施形態では、閉鎖封止手段４８による閉鎖封止状態が解除されることにより装着封止手段４９による装着封止状態も解除されるように構成したが、閉鎖封止手段４８による閉鎖封止状態と装着封止手段４９による装着封止状態とを個別に解除可能に構成してもよい。例えば、基板ケース４３を基板ケース取付台４５に装着・封止した状態で装着封止係合爪１４６を損壊可能に構成すれば、この装着封止係合爪１４６のみを損壊することにより、基板ケース４３は閉鎖封止状態のままで装着封止状態のみを解除することが可能である。
【００８７】
また、実施形態では本発明をスロットマシンに適用した例を示したが、パチンコ機、アレンジボール機等の各種遊技機において同様に実施可能であることは言うまでもない。
【図面の簡単な説明】
【００８８】
【図１】本発明の一実施形態を示すスロットマシンの全体斜視図である。
【図２】本体ケース側の正面図である。
【図３】主制御基板ユニットの正面図である。
【図４】主制御基板ユニットの分解斜視図である。
【図５】主基板ケースの要部分解斜視図である。
【図６】主基板ケースの要部分解斜視図である。
【図７】主基板ケースと主基板ケース取付台との要部分解斜視図である。
【図８】主基板ケースの分解平面断面図である。
【図９】主基板ケースと主基板ケース取付台との分解平面断面図である。
【図１０】主制御基板ユニットの平面断面図である。
【図１１】主基板ケースの分解側面断面図である。
【図１２】主基板ケースと主基板ケース取付台との分解側面断面図である。
【図１３】主制御基板ユニットの側面断面図である。
【図１４】主基板ケースの結合・封止手順を示す第１ステップの説明図である。
【図１５】主基板ケースの結合・封止手順を示す第２ステップの説明図である。
【図１６】主基板ケースの結合・封止手順を示す第３ステップの説明図である。
【図１７】主基板ケースの主基板ケース取付台への装着・封止手順を示す第１ステップの説明図である。
【図１８】主基板ケースの主基板ケース取付台への装着・封止手順を示す第２ステップの説明図である。
【図１９】主基板ケースの主基板ケース取付台への装着・封止手順を示す第３ステップの説明図である。
【図２０】主基板ケースの開封手順を示す説明図である。
【符号の説明】
【００８９】
１    遊技機筐体
１３    主制御基板（基板）
４１    第１ケース体
４２    第２ケース体
４３    主基板ケース（基板ケース）
４５    主基板ケース取付台（基板ケース取付台）
４８    閉鎖封止手段
４９    装着封止手段
５５    封止装着部
５６    封止部材
７２    第１封止装着部
１１３    第２封止装着部
１１９ａ  支持リブ（損壊部）
１１９ｂ  支持リブ（損壊部）
１１９ｃ  支持リブ（損壊部）
１３１    挿通軸部（挿通部）
１３３    突起部
１３４    抜け止め係合爪（抜け止め部）
１５１    抜け止めカバー部
【図１】
2010068934.tif 000003
【図２】
2010068934.tif 000004
【図３】
2010068934.tif 000005
【図４】
2010068934.tif 000006
【図５】
2010068934.tif 000007
【図６】
2010068934.tif 000008
【図７】
2010068934.tif 000009
【図８】
2010068934.tif 000010
【図９】
2010068934.tif 000011
【図１０】
2010068934.tif 000012
【図１１】
2010068934.tif 000013
【図１２】
2010068934.tif 000014
【図１３】
2010068934.tif 000015
【図１４】
2010068934.tif 000016
【図１５】
2010068934.tif 000017
【図１６】
2010068934.tif 000018
【図１７】
2010068934.tif 000019
【図１８】
2010068934.tif 000020
【図１９】
2010068934.tif 000021
【図２０】
2010068934.tif 000022